(57)【要約】【課題】嵌合・離脱方向における小型化を図る。【解決手段】コネクタＡは、第１ハウジング１０の外側面１２に形成された操作部１３と、操作部１３を構成し、第１ハウジング１０を第２ハウジング４０に向かって押す操作が可能な嵌合用指当て部１４，１５と、操作部１３を構成し、第１ハウジング１０を第２ハウジング４０から引き離す操作が可能であって、嵌合用指当て部１４，１５との位置関係が両ハウジング１０，４０の嵌合・離脱方向と交差する上下方向へ位置ずれし、且つ嵌合・離脱方向において重なるように配置された離脱用指当て部２７とを備える。【選択図】図２
2013114989.tif 000002
【特許請求の範囲】
【請求項１】
第１ハウジングと、
前記第１ハウジングに対して嵌合及び離脱が可能な第２ハウジングと、
前記第１ハウジングの外面に形成された操作部と、
前記操作部を構成し、前記第１ハウジングを前記第２ハウジングに向かって押す操作が可能な嵌合用指当て部と、
前記操作部を構成し、前記第１ハウジングを前記第２ハウジングから引き離す操作が可能であって、前記嵌合用指当て部との位置関係が前記第１ハウジングと前記第２ハウジングの嵌合・離脱方向と交差する方向へ位置ずれし、且つ前記嵌合・離脱方向において重なるように配置された離脱用指当て部とを備えていることを特徴とするコネクタ。
【請求項２】
前記嵌合・離脱方向において、前記嵌合用指当て部と前記離脱用指当て部のうち一方の前記指当て部の全体が、他方の前記指当て部の形成領域の範囲内に納まっていることを特徴とする請求項１記載のコネクタ。
【請求項３】
前記嵌合用指当て部は、前記第１ハウジングの前記外面を基準とする突出寸法が、嵌合方向最後端において最小であり且つ嵌合方向最前端において最大である嵌合用操作面を有し、
前記離脱用指当て部は、前記第１ハウジングの前記外面を基準とする突出寸法が、嵌合方向最前端において最小であり且つ嵌合方向最後端において最大である離脱用操作面を有し、
前記第１ハウジングの前記外面を基準とする突出寸法に関して、前記嵌合用操作面と前記離脱用操作面のうち一方の前記操作面の最小突出寸法が、他方の前記操作面の最大突出寸法と同じか、それよりも大きい寸法とされていることを特徴とする請求項１又は請求項２記載のコネクタ。
【請求項４】
前記嵌合用指当て部と前記離脱用指当て部のうち一方の前記指当て部が、前記嵌合・離脱方向と交差する方向に間隔を空けて対をなすように設けられ、
他方の前記指当て部が、前記対をなす一方の指当て部の間に挟まれるように配置され、且つ前記他方の指当て部に対する操作方向へ膨らむように湾曲した曲面状をなしていることを特徴とする請求項１ないし請求項３のいずれか１項に記載のコネクタ。
【請求項５】
前記第２ハウジングが、第１ハウジングの一部を収容可能なフード部を有しており、
前記操作部の全体が、前記第１ハウジングと前記第２ハウジングが正規嵌合した状態において前記第１ハウジングの前記外面のうち前記フード部の外部へ露出する領域に配置されていることを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、一対のハウジングの嵌合時及び離脱時における操作性の向上を図るための操作部を備えたコネクタが開示されている。操作部は、一方のハウジングの外面に形成され、嵌合用の指当て部と離脱用の指当て部とを備えて構成されている。嵌合用指当て部は、両ハウジングの嵌合方向に対して斜めをなし、指を当てることにより、一方のハウジングを他方のハウジングに向かって押す操作が可能な形態である。離脱用指当て部は、両ハウジングの嵌合方向に対して斜めをなし、指を当てることにより、一方のハウジングを他方のハウジングから離間させるように引く操作が可能な形態である。
【先行技術文献】
【特許文献】
【０００３】
【特許文献１】特開２００２−３６７７３１号公報
【発明の概要】
【発明が解決しようとする課題】
【０００４】
上記のコネクタでは、嵌合用指当て部と離脱用指当て部が、両ハウジングの嵌合・離脱方向と平行に並ぶように配置されていた。そのため、ハウジングは、嵌合・離脱方向において大型化することが懸念される。特に、操作部が形成されているハウジングを、相手側ハウジングのフード部内に嵌入する形態の場合、操作部を形成可能な領域は、嵌合状態においてフード部の外部に露出する範囲に限定されるため、十分な大きさの操作部を形成しようとすると、ハウジングを嵌合・離脱方向において大型化しなければならない。
本発明は上記のような事情に基づいて完成されたものであって、嵌合・離脱方向における小型化を図ることを目的とする。
【課題を解決するための手段】
【０００５】
上記の目的を達成するための手段として、請求項１の発明は、第１ハウジングと、前記第１ハウジングに対して嵌合及び離脱が可能な第２ハウジングと、前記第１ハウジングの外面に形成された操作部と、前記操作部を構成し、前記第１ハウジングを前記第２ハウジングに向かって押す操作が可能な嵌合用指当て部と、前記操作部を構成し、前記第１ハウジングを前記第２ハウジングから引き離す操作が可能であって、前記嵌合用指当て部との位置関係が前記第１ハウジングと前記第２ハウジングの嵌合・離脱方向と交差する方向へ位置ずれし、且つ前記嵌合・離脱方向において重なるように配置された離脱用指当て部とを備えているところに特徴を有する。
【０００６】
請求項２の発明は、請求項１に記載のものにおいて、前記嵌合・離脱方向において、前記嵌合用指当て部と前記離脱用指当て部のうち一方の前記指当て部の全体が、他方の前記指当て部の形成領域の範囲内に納まっているところに特徴を有する。
【０００７】
請求項３の発明は、請求項１または請求項２に記載のものにおいて、前記嵌合用指当て部は、前記第１ハウジングの前記外面を基準とする突出寸法が、嵌合方向最後端において最小であり且つ嵌合方向最前端において最大である嵌合用操作面を有し、前記離脱用指当て部は、前記第１ハウジングの前記外面を基準とする突出寸法が、嵌合方向最前端において最小であり且つ嵌合方向最後端において最大である離脱用操作面を有し、前記第１ハウジングの前記外面を基準とする突出寸法に関して、前記嵌合用操作面と前記離脱用操作面のうち一方の前記操作面の最小突出寸法が、他方の前記操作面の最大突出寸法と同じか、それよりも大きい寸法とされているところに特徴を有する。
【０００８】
請求項４の発明は、請求項１ないし請求項３のいずれかに記載のものにおいて、前記嵌合用指当て部と前記離脱用指当て部のうち一方の前記指当て部が、前記嵌合・離脱方向と交差する方向に間隔を空けて対をなすように設けられ、他方の前記指当て部が、前記対をなす一方の指当て部の間に挟まれるように配置され、且つ前記他方の指当て部に対する操作方向へ膨らむように湾曲した曲面状をなしているところに特徴を有する。
【０００９】
請求項５の発明は、請求項１ないし請求項４のいずれかに記載のものにおいて、前記第２ハウジングが、第１ハウジングの一部を収容可能なフード部を有しており、前記操作部の全体が、前記第１ハウジングと前記第２ハウジングが正規嵌合した状態において前記第１ハウジングの前記外面のうち前記フード部の外部へ露出する領域に配置されているところに特徴を有する。
【発明の効果】
【００１０】
＜請求項１の発明＞
嵌合用指当て部と離脱用指当て部を、両ハウジングの嵌合・離脱方向と交差する方向に位置ずれし、且つ嵌合・離脱方向において重なるように配置したので、嵌合・離脱方向における操作部の形成領域が小さくて済む。これにより、嵌合・離脱方向における第１ハウジングの小型化を図ることができる。
【００１１】
＜請求項２の発明＞
本発明では、嵌合・離脱方向において、嵌合用指当て部と離脱用指当て部のうち一方の指当て部の全体が、他方の指当て部の形成領域の範囲内に納まっているので、一方の指当て部が他方の指当て部の形成範囲からはみ出している場合に比べると、操作部が小型化されている。
【００１２】
＜請求項３の発明＞
第１ハウジングの外面を基準とする突出寸法に関して、嵌合用操作面と離脱用操作面のうち一方の操作面の最小突出寸法が、他方の操作面の最大突出寸法よりも小さい場合、他方の操作面のうち突出寸法が最大となる端部が、一方の操作面よりも突出した状態となる。そのため、一方の操作面を押し操作したときに、他方の操作面の突出部分に指が当たると、作業者が違和感を覚えることが懸念される。これに対し、本発明では、一方の操作面の最小突出寸法を、他方の操作面の最大突出寸法と同じか、それよりも大きい寸法としたので、他方の操作面が一方の操作面よりも突出した状態になることはない。したがって、一方の操作面を押し操作したときに、他方の操作面の突出部分に指が当たることがなく、作業者は違和感を覚えずに済む。
【００１３】
＜請求項４の発明＞
他方の指当て部は、対をなす一方の指当て部の間に挟まれるように配置され、しかも曲面状をなしているので、指を安定して当てることができる。したがって、第１ハウジングの外面と交差する方向において、他方の指当て部における指との当接代を小さくしても、他方の指当て部に対する操作を容易且つ確実に行うことができる。
【００１４】
＜請求項５の発明＞
操作部の全体が、両ハウジングの正規嵌合時にフード部の外部へ露出する領域に配置されているので、操作部の一部がフード部内に隠れる場合に比べると、操作性に優れている。
【図面の簡単な説明】
【００１５】
【図１】実施形態１の第１ハウジングの正面図
【図２】第１ハウジングの側面図
【図３】第１ハウジングの背面図
【図４】第１ハウジングの平面図
【図５】図２のＸ−Ｘ線断面図
【図６】第１ハウジングと第２ハウジングを嵌合した状態をあらわす側面図
【図７】第１ハウジングと第２ハウジングを嵌合した状態をあらわす平面図
【発明を実施するための形態】
【００１６】
＜実施形態１＞
以下、本発明を具体化した実施形態１を図１〜図７を参照して説明する。本実施形態のコネクタＡは、嵌合・離脱が可能な第１ハウジング１０と第２ハウジング４０とを備えて構成されている。尚、以下の説明において、上下方向と左右方向は、いずれも両ハウジング１０，４０の嵌合・離脱方向と略直角に交差する方向を意味し、上下方向と左右方向は互いに直角な方向である。
【００１７】
第１ハウジング１０は、合成樹脂製であり、全体としてブロック状をなし、図１，３に示すように、その内部には複数の端子収容室１１が形成され、各端子収容室１１内には、夫々、後方（図２，４，６，７における右方）から周知形態の雌端子金具（図示省略）が挿入されている。第１ハウジング１０の左右両外側面１２（本発明の構成要件である第１ハウジングの外面）には、第２ハウジング４０との嵌合、及び第２ハウジング４０からの離脱を行う際の作業性の向上を図る手段として、左右対称な一対の操作部１３が形成されている。
【００１８】
第２ハウジング４０は、合成樹脂製であり、図６，７に示すように、端子保持部４１と、端子保持部４１の外周縁から第２ハウジング４０の前方（図６，７における右方）へ突出する角筒状のフード部４２とを備えて構成されている。第２ハウジング４０は、回路基板Ｐの表面に載置された状態で固定されている。第２ハウジング４０には、Ｌ字形に屈曲した形態の複数の雄端子金具４３が取り付けられている。雄端子金具４３は、端子保持部４１に貫通される端子接続部４４（図示省略）と、図６に示すように回路基板Ｐに接続される基板接続部４５と備える周知の形態の端子である。
【００１９】
第１ハウジング１０を第２ハウジング４０に嵌合する際には、操作部１３に指を当てて操作部１３を後方から押すように操作することにより、第１ハウジング１０をフード部４２内に押し込む。第２ハウジング４０に嵌合されている第１ハウジング１０を外す際には、操作部１３に指を当てて操作部１３を後方へ引っ張るように、又は後方へ押すように操作して、第１ハウジング１０をフード部４２から離脱させる。
【００２０】
次に、操作部１３の詳細な形態を説明する。図２，４に示すように、嵌合・離脱方向における操作部１３の形成領域Ｓは、外側面１２のうち第２ハウジング４０に対する第１ハウジング１０の嵌合方向後端部であり、両ハウジング１０，４０が正規嵌合したときにフード部４２から突出する露出領域Ｓ（本発明の構成要件である第１ハウジングと第２ハウジング４０が正規嵌合した状態において第１ハウジングの外面のうちフード部４２の外部へ露出する領域）と合致している。したがって、嵌合・離脱方向において、操作部１３の前端の位置は、両ハウジング１０，４０を正規嵌合したときにフード部４２の開口端縁とほぼ同じ位置となる。また、上下方向における操作部１３の形成領域は、外側面１２の下端から上端に至る全高範囲に亘っている。
【００２１】
図２に示すように、各操作部１３は、夫々、上下非対称であって上下に間隔を空けて配置された一対の嵌合用指当て部１４，１５（本発明の構成要件である一方の指当て部）と、上下方向において一対の嵌合用指当て部１４，１５の間に挟まれるように配置されるとともに嵌合用指当て部１４，１５に隣接した形態の１つの離脱用指当て部２７（本発明の構成要件である他方の指当て部）とを備えて構成されている。つまり、操作部１３は、２つの嵌合用指当て部１４，１５と１つの離脱用指当て部２７を上下方向に並ぶように配置した形態である。また、図４，５に示すように、操作部１３は、第１ハウジング１０の外側面１２から突出した形態となっている。
【００２２】
図１〜５に示すように、上側の嵌合用指当て部１４は、第１段部１６と第２段部１８と第３段部２０とを備えて構成されている。第１段部１６は、外側面１２の後端縁に沿うように上下方向に細長く形成されている。上下方向における第１段部１６の形成領域は、外側面１２の上端から、外側面１２の上下方向における中央よりも少し下方の位置に亘っている。第１段部１６は、外側面１２に対して一段高くなるように突出しており、外側面１２と平行な第１段差面１７を有する。第１段差面１７（第１段部１６）の下端縁は、弧状をなしているとともに、後方に向かって低くなるように傾斜している。
【００２３】
第２段部１８は、第１段部１６の前端縁に沿って上下方向に長く形成されている。上下方向における第２段部１８の形成領域は、外側面１２の上端から、第１段部１６の下端よりも少し上方の位置に亘っている。第２段部１８は、第１段差面１７に対して一段高くなるように突出しており、外側面１２及び第１段差面１７と平行な第２段差面１９を有する。
【００２４】
第３段部２０は、第２段部１８の前端縁に沿うように形成されている。上下方向における第３段部２０の形成領域は、外側面１２の上端から、第２段部１８の下端よりも少し上方の位置に亘っている。第３段部２０は、第２段差面１９に対して一段高くなるように突出しており、外側面１２、第１段差面１７及び第２段差面１９と平行な第３段差面２１を有する。
【００２５】
図１〜３に示すように、下側の嵌合用指当て部１５は、第４段部２２と第５段部２４とを備えて構成されている。第４段部２２は、外側面１２の後端縁に沿うように上下方向に細長く形成されている。上下方向における第４段部２２の形成領域は、外側面１２の下端から、第１段部１６の下端位置（外側面１２の上下方向における中央よりも少し下方の位置）に亘っている。嵌合・離脱方向における第４段差部２２の形成領域は、第１段差部と同じである。第４段部２２は、外側面１２に対して一段高くなるように突出している。第４段差部２２は、外側面１２と平行であって、外側面１２を基準とする突出高さが第１段差面１７と同じ寸法である第４段差面２３を有する。第４段差面２３（第４段部２２）の上端縁は、弧状をなしているとともに、後方に向かって高くなるように傾斜している。
【００２６】
第５段部２４は、第４段部２２の前端縁に沿って上下方向に長く形成されている。上下方向における第５段部２４の形成領域は、外側面１２の下端から、第４段部２２の上端よりも少し下方の位置に亘っている。嵌合・離脱方向における第５段差部の形成領域は、第２段差部と同じである。第５段部２４は、第４段差面２３に対して一段高くなるように突出している。第５段部２４は、外側面１２及び第４段差面２３と平行であって、外側面１２を基準とする突出高さが第２段差面１９と同じ寸法である第５段差面２５を有する。
【００２７】
第１段差面１７と、第１段差面１７と第２段差面１９を繋ぐ第２段部１８の後面と、第２段差面１９と、第２段差面１９と第３段差面２１を繋ぐ第３段部２０の後面と、第３段差面２１と、第４段差面２３と、第４段差面２３と第５段差面２５を繋ぐ第５段部２４の後面と、第５段差面２５は、嵌合用指当て部１４，１５を押し操作するときに、作業者の指を当てて、操作部１３に嵌合方向の操作力を付与するための嵌合用操作面２６を構成している。嵌合用操作面２６は、上下２つに分かれた階段状をなしている。外側面１２を基準とする嵌合用操作面２６（嵌合用指当て部１４，１５）の突出寸法は、外側面１２における嵌合方向最後端（第１段差面１７及び第４段差面２３の後端縁）において最小であり、外側面１２における嵌合方向最前端（第３段差面２１の前端縁）において最大となっている。
【００２８】
図２に示すように、離脱用指当て部２７は、外側面１２上において、離脱方向前方（嵌合方向における後方）へ膨らむように湾曲した弧状領域に沿って細長く延びた形状とされている。この離脱用指当て部２７が形成されている領域は、上側の嵌合用指当て部１４の下端縁と下側の嵌合用指当て部１５の上端縁とに沿った領域である。つまり、離脱用指当て部２７は、その全領域に亘って、上側の嵌合用指当て部１４の下端縁と下側の嵌合用指当て部１５の上端縁とに繋がっている。嵌合・離脱方向において、嵌合用指当て部１４，１５の形成領域Ｓの全体と離脱用指当て部２７の形成領域Ｓの全体とは、完全に重なって（合致して）いる。
【００２９】
離脱用指当て部２７は、第１ハウジング１０を第２ハウジング４０から離脱するときに、作業者が指を当てて、操作部１３に離脱方向の操作力を付与するための離脱用操作面２８と、離脱操作のときに指が上下方向に位置ずれするのを規制するための上下一対の非対称な規制面２９，３０とを有している。
【００３０】
上下方向における離脱用操作面２８の形成領域は、第１段部１６の前端縁の下端から、第４段部２２の前端縁の上端に至る範囲である。離脱用操作面２８の後端縁は、第１段差面１７の下端縁及び第４段差面２３の上端縁に連なっている。外側面１２を基準とする離脱用操作面２８の突出寸法（高さ寸法）は、離脱方向前方に向かって上り勾配となるように傾斜している。また、離脱用操作面２８は、滑らかに連続する曲面状をなしている。
【００３１】
また、外側面１２を基準とする嵌合用操作面２６の突出寸法と離脱用操作面２８の突出寸法との関係は、次の通りである。図５に示すように、嵌合用操作面２６の最小突出寸法Ｈ（つまり、第１段差面１６の突出寸法）は、離脱用操作面２８の最大突出寸法Ｈ（つまり、離脱用操作面２８の後端縁の突出寸法）と同じ寸法であり、したがって、離脱用操作面２８の最小突出寸法（つまり、離脱用操作面２８の前端縁の突出寸法）よりも大きい。当然、嵌合用操作面２６の最大突出寸法（つまり、第３段差面２１の突出寸法）は、離脱用操作面２８の最大突出寸法Ｈより大きい。
【００３２】
図２に示すように、上下方向における上側の規制面２９の形成領域は、第１段部１６の前端縁の下端から外側面１２の上端に至る範囲である。上側の規制面２９の上端縁は、第２段差面１９と第３段差面２１の下端縁に連なっている。外側面１２を基準とする上側の規制面２９の突出寸法（高さ寸法）は、上方に向かって上り勾配となるように傾斜している。上下方向における下側の規制面３０の形成領域は、第４段部２２の前端縁の上端から外側面１２の下端に至る範囲である。下側の規制面３０の下端縁は、第５段差面２５に連なっている。外側面１２を基準とする下側の規制面３０の突出寸法（高さ寸法）は、下方に向かって上り勾配となるように傾斜している。
【００３３】
両ハウジング１０，４０を嵌合する際には、嵌合用操作面２６に指を当てて、嵌合用指当て部１４，１５を第１ハウジング１０の後方から押し操作する。嵌合状態の両ハウジング１０，４０を離脱する際には、離脱用操作面２８に指を当てて、離脱用指当て部２７を後方へ引っ張る操作、又は前方から押す操作を行う。離脱の際には、離脱用操作面２８に当てた指が、上下一対の規制面２９，３０によって上下方向に位置決めされ、また、離脱用操作面２８と規制面２９，３０は、全体として滑らかに連続する湾曲面となっている。したがって、離脱用指当て部２７を操作する指の位置が安定し、操作性に優れている。
【００３４】
上述のように、本実施形態のコネクタＡは、第１ハウジング１０の外側面１２に形成した操作部１３が、第１ハウジング１０を第２ハウジング４０に向かって押す操作が可能な嵌合用指当て部１４，１５と、第１ハウジング１０を第２ハウジング４０から引き離す操作が可能な離脱用指当て部２７とによって構成し、嵌合用指当て部１４，１５と離脱用指当て部２７が両ハウジング１０，４０の嵌合・離脱方向と交差する方向へ位置ずれし、且つ嵌合・離脱方向において嵌合用指当て部１４，１５と離脱用指当て部２７が重なるように配置されている。この構成によれば、嵌合・離脱方向における操作部１３の形成領域が小さくて済むので、嵌合・離脱方向における第１ハウジング１０の小型化を図ることができる。
【００３５】
また、本実施形態のコネクタＡは、嵌合・離脱方向において、嵌合用指当て部１４，１５と離脱用指当て部２７のうち一方の指当て部の全体が、他方の指当て部の形成領域の範囲内に納まっている。具体的には、嵌合・離脱方向において、嵌合用指当て部１４，１５の形成領域Ｓの全体と離脱用指当て部２７の形成領域Ｓの全体とは、完全に重なって（合致して）いる。この構成によれば、一方の指当て部が他方の指当て部の形成範囲からはみ出している場合に比べると、操作部１３が小型化されている。
【００３６】
また、嵌合用指当て部１４，１５は、第１ハウジング１０の外側面１２を基準とする突出寸法が、嵌合方向最後端において最小であり且つ嵌合方向最前端において最大である嵌合用操作面２６を有する。一方、離脱用指当て部２７は、第１ハウジング１０の外側面１２を基準とする突出寸法が、嵌合方向最前端において最小であり且つ嵌合方向最後端において最大である離脱用操作面２８を有する。そして、第１ハウジング１０の外側面１２を基準とする突出寸法に関して、嵌合用操作面２６の最小突出寸法Ｈが、離脱用操作面２８の最大突出寸法Ｈと同じ寸法とされている。
【００３７】
この構成の技術的意義は、次の通りである。もし、第１ハウジング１０の外側面１２を基準とする突出寸法に関して、嵌合用操作面２６と離脱用操作面２８のうち一方の操作面の最小突出寸法が、他方の操作面の最大突出寸法よりも小さい場合、他方の操作面のうち突出寸法が最大となる端部が、一方の操作面よりも突出した状態となる。そのため、一方の操作面を押し操作したときに、他方の操作面の突出部分に指が当たると、作業者が違和感を覚えることが懸念される。
【００３８】
これに対し、本実施形態では、嵌合用操作面２６（一方の操作面）の最小突出寸法Ｈを、離脱用操作面２８（他方の操作面）の最大突出寸法Ｈと同じ寸法としたので、他方の操作面が一方の操作面よりも突出した状態になることはない。したがって、一方の操作面を押し操作したときに、他方の操作面の突出部分に指が当たることがなく、作業者は違和感を覚えずに済む。
【００３９】
また、嵌合用指当て部１４，１５が、嵌合・離脱方向と交差する上下方向に間隔を空けて対をなすように設けられ、離脱用指当て部２７が、対をなす嵌合用指当て部１４，１５の間に挟まれるように配置され、且つ離脱用指当て部２７に対する操作方向へ膨らむように湾曲した曲面状をなしている。この構成によれば、指を安定して離脱用指当て部２７に当てることができる。したがって、第１ハウジング１０の外側面１２と交差する上下方向において、離脱用指当て部２７における指との当接代を小さくしても、離脱用指当て部２７に対する操作を容易且つ確実に行うことができる。
【００４０】
また、第２ハウジング４０は、第１ハウジング１０の一部を収容可能なフード部４２を有しており、操作部１３の全体が、両ハウジング１０，４０が正規嵌合した状態において第１ハウジング１０の外側面１２のうちフード部４２の外部へ露出する領域（露出領域Ｓ）に配置されている。この構成によれば、操作部の一部がフード部内に隠れる場合に比べて、操作性に優れている。
【００４１】
＜他の実施形態＞
本発明は上記記述及び図面によって説明した実施形態に限定されるものではなく、例えば次のような実施形態も本発明の技術的範囲に含まれる。
（１）上記実施形態では、一対の嵌合用指当て部の間に１つの離脱用指当て部を挟むように配置したが、一対の離脱用指当て部の間に１つの嵌合用指当て部を挟むように配置してもよい。
（２）上記実施形態では、２つの嵌合用指当て部と１つの離脱用指当て部とによって１つの操作部を構成したが、１つの操作部を構成する嵌合用指当て部と離脱用指当て部の数の組み合わせは、任意に設定することができる。
（３）上記実施形態では、嵌合・離脱方向において、嵌合用指当て部の形成領域の全体と離脱用指当て部の形成領域の全体とが完全に重なる（合致する）ようにしたが、重なりの形態としては、嵌合用指当て部の形成領域の全体と離脱用指当て部の形成領域の一部とが重なる形態、嵌合用指当て部の形成領域の一部と離脱用指当て部の形成領域の全体とが重なる形態、嵌合用指当て部の形成領域の一部と離脱用指当て部の形成領域の一部とが重なる形態のいずれでもよい。嵌合用指当て部の形成領域の一部と離脱用指当て部の形成領域の一部が重なる場合、嵌合用指当て部は、離脱用指当て部よりも前方へ位置ずれした形態と、離脱用指当て部よりも後方へ位置ずれした形態のいずれとしてもよい。
（４）上記実施形態では、嵌合・離脱方向において、操作部の前端の位置が、両ハウジングを正規嵌合したときにフード部の開口端縁とほぼ同じ位置となるようにしたが、両ハウジングが正規嵌合したときに、操作部の前端の位置が、第１ハウジングを基準とした場合にフード部の開口端縁よりも後方に離間した位置（第２ハウジングを基準にした場合には、前方に離間した位置）となるようにしてもよい。
（５）上記実施形態では、嵌合用操作面を階段状にしたが、嵌合用操作面は、滑らかに連続する傾斜面にしてもよい。
（６）上記実施形態では、離脱用操作面を滑らかに連続する傾斜面としたが、離脱用操作面は、階段状にしてもよい。
（７）上記実施形態では、操作部の形成されている第１ハウジングが、第２ハウジングのフード部内に嵌入するようにしたが、第２ハウジングが、操作部の形成されている第１ハウジングのフード部内に嵌入する形態でもよい。
（８）上記実施形態では、操作部を第１ハウジングの外面（外側面）から突出する形態としたが、操作部は、その全体又は一部が、第１ハウジングの外面を凹ませた形態であってもよい。
（９）上記実施形態では、第１ハウジングの外面（外側面）において、離脱用操作面を、湾曲した弧状領域に沿った細長い形状としたが、離脱用指当て部は、直線状や方形状等、弧状以外の形状であってもよい。
（１０）上記実施形態では、第１ハウジングの外面を基準とする嵌合用操作面の最小突出寸法を、離脱用操作面の最大突出寸法と同じ寸法にしたが、嵌合用操作面の最小突出寸法は、離脱用操作面の最大突出寸法より小さくてもよく、離脱用操作面の最大突出寸法より大きくてもよい。
（１１）上記実施形態では、第１ハウジングの外面を基準とする嵌合用操作面の最大突出寸法を、離脱用操作面の最大突出寸法より大きい寸法にしたが、嵌合用操作面の最大突出寸法は、離脱用操作面の最大突出寸法と同じでもよく、離脱用操作面の最大突出寸法より小さくてもよい。
（１２）上記実施形態では、第１ハウジングの外面を基準とする嵌合用操作面の最小突出寸法を、離脱用操作面の最小突出寸法より大きい寸法にしたが、嵌合用操作面の最小突出寸法は、離脱用操作面の最小突出寸法より小さくてもよく、離脱用操作面の最小突出寸法と同じ寸法でもよい。
（１３）上記実施形態では、第１ハウジングの外面を基準とする嵌合用操作面の最大突出寸法を、離脱用操作面の最小突出寸法より大きい寸法にしたが、嵌合用操作面の最大突出寸法は、離脱用操作面の最小突出寸法より小さくてもよく、離脱用操作面の最小突出寸法と同じ寸法でもよい。
【符号の説明】
【００４２】
Ａ…コネクタ
１０…第１ハウジング
１２…外側面（第１ハウジングの外面）
１３…操作部
１４，１５…嵌合用指当て部（一方の指当て部）
２６…嵌合用操作面
２７…離脱用指当て部（他方の指当て部）
２８…離脱用操作面
４０…第２ハウジング
４２…フード部
Ｈ…嵌合用操作面の最小突出寸法
Ｈ…離脱用操作面の最大突出寸法
Ｓ…嵌合・離脱方向における指当て部の形成領域
Ｓ…露出領域（第１ハウジングと第２ハウジングが正規嵌合した状態において第１ハウジングの外面のうちフード部の外部へ露出する領域）
【図１】
2013114989.tif 000003
【図２】
2013114989.tif 000004
【図３】
2013114989.tif 000005
【図４】
2013114989.tif 000006
【図５】
2013114989.tif 000007
【図６】
2013114989.tif 000008
【図７】
2013114989.tif 000009